(57)【特許請求の範囲】
【請求項１】
縦横各一対の枠材と、縦横の各枠材を方形に配置した状態で相隣接する縦横の各枠材の端部を互いに連結する４本の連結材と、前記縦横の各枠材の前端部に設けられたフランジ板部の表面を被覆する４枚のカバー材とを備え、
前記カバー材は、前記枠材のフランジ板部の表面のほぼ全域を被覆可能な形状であり、前記連結材の前端部には、前記枠材のフランジ板部とほぼ同一の横断面形状であって、縦横のいずれか一方の枠材のフランジ板部の長手方向における隣接位置に配置される方形連結片が、一体成形された構成の窓枠体であって、
前記カバー材には、横断面視において、少なくとも一方の側に側面被覆部が背面側に折れ曲がった状態で設けられて、前記フランジ板部の少なくとも一方の側面を覆い、
縦横いずれか一方の枠材のフランジ板部の表面と、該フランジ板部の長手方向の一端又は両端に接続された前記連結材の方形連結片の表面との両表面を一枚の前記カバー材で被覆した状態において、前記方形連結片に一体成形された蓋体部がカバー材の端面を無段差で覆うようになっていることを特徴とする窓枠体。
【請求項２】
前記カバー材には、横断面視において、カバー材本体部の両側に側面被覆部が、ほぼ直角に背面側に折れ曲がった状態でそれぞれ設けられていることを特徴とする請求項１に記載の窓枠体。
【請求項３】
前記蓋体部の外形線は、直交して接続する別のカバー材の長手方向の外形線の延長線上に位置していることを特徴とする請求項１又は２に記載の窓枠体。
【請求項４】
前記蓋体部の肉厚は、０．５〜２ｍｍであることを特徴とする請求項１ないし３のいずれかに記載の窓枠体。
【発明の詳細な説明】
【０００１】
【発明の属する技術分野】
本発明は、建築物の外壁部に設けられた窓開口の内側に嵌め込まれる窓枠体に関するものである。
【０００２】
【従来の技術】
上記窓枠体の一つとして、縦横各一対の枠材と、縦横の各枠材を方形に配置した状態において相隣接する縦横の各枠材の端部を連結する４本の連結材と、前記縦横の各枠材の前面側端部に設けられたフランジ板部の前面を被覆するカバー材とを備え、４本の前記連結材を介して縦横各一対の計４本の枠材を方形枠状に組み付けて、その４隅の各方形欠落部に、前記連結材の前面側端部に一体成形された方形連結片を当てがい、縦横各一対の枠材のフランジ板部の前面を前記カバー材で被覆する構成のものが知られている。なお、以下の説明においては、窓枠体を構成する各部材の位置等の特定に関しては、該窓枠体を外壁部の窓開口に嵌め込んだ状態において、該窓枠体を建築物の室内側から見た状態を基準に定める。従って、窓枠体が外壁部に嵌め込まれた状態において、重力方向を上下方向（縦方向）、水平方向を左右方向（横方向）と定めると共に、建築物の室内側及び室外側の各面をそれぞれ前面（表面）及び背面（裏面）と定め、更に、組立て状態の窓枠体の枠内及び枠外をそれぞれ内側（内端）及び外側（外端）と定める。また、「方形」とは、四つの内角が全て直角であって、隣接する二辺の等しいものと、異なるものとの双方を含む形状を示す。
【０００３】
例えば、図１９及び図２０に示される窓枠体Ｆ11は、縦枠材Ａ11と横枠材Ｂ11との各端部の互いに直交する部分を連結材Ｊ11を介して連結した状態において、連結材Ｊ11の前面側端部に一体成形された方形連結片６１は、縦枠材Ａ11に接続されて、該縦枠材Ａ11の部分においては、該縦枠材Ａ11のフランジ板部６２ａと前記方形連結片６１とが接続された状態で、その前面中央部に連続して設けられた凹部６３a,６４にカバー材６５ａが嵌着された構成である。また、横枠材Ｂ11のフランジ板部６２ｂの凹部６３ｂには、別のカバー材６５ｂが嵌着されて、該フランジ板部６２ｂと該カバー材６５ｂの各端面は、前記方形連結片６１の内側面に当接している。なお、一対の縦枠材Ａ11と一対の横枠材Ｂ11とを４本の連結材Ｊ11を介して方形枠状に組み付けた形状は、本発明に係る図２に示される形状とほぼ同一となる。
【０００４】
上記窓枠体Ｆ11は、その連結部において、縦枠材Ａ11、横枠材Ｂ11及び連結材Ｊ11の３つの部品が結合され、しかも各カバー材６５a,６５b は、縦枠材Ａ11及び横枠材Ｂ11の各フランジ板部６２a,６２b の凹部６３a,６３b に嵌着されているために、図２０に示されるように、多数本の仕切線Ｌ1 〜Ｌ8 が露出して、見栄えが悪くなる不具合があった。また、押出成形品であるために、型成形品に比較して断面精度が悪い縦枠材Ａ11及び横枠材Ｂ11と、型成形品である連結材Ｊ11とを組み付けているために、両者の接続部である仕切線Ｌ1,Ｌ8 の部分において隙間が発生して、見栄えが一層悪くなる不具合もあった。なお、仕切線Ｌ2 の部分は、組付け時における縦枠材Ａ11の回動支点となるために、該仕切線Ｌ2 の部分においては、仕切線Ｌ1,Ｌ8 の部分程には、隙間は発生しない。
【０００５】
また、図２１に示される窓枠体Ｆ12では、縦枠材Ａ12又は横枠材Ｂ12のいずれか一方（図示例では、横枠材Ｂ12）のフランジ板部７２ｂに嵌着されて、その表面を被覆するカバー材７５ｂは、連結材Ｊ12の方形連結片７１の部分を含めて被覆するために、該カバー材７５ｂの端面が露出する。これを防止すべく、前記カバー材７５ｂの端面に小片状の蓋片７６を接着等により固着している。なお、図示例では、横枠材Ｂ12のフランジ板部７２ｂの正面を被覆するカバー材７５ｂによって、連結材Ｊ12の方形連結片７１を同時に被覆しているが、縦枠材Ａ12のフランジ板部７２ａの表面を被覆するカバー材７５ａによって、前記方形連結片７１を同時に被覆する構造もある。
【０００６】
このため、上記窓枠体Ｆ12では、蓋片７６によって、縦横いずれか一方のカバー材７５a(７５b)の端面を閉塞しないと、該端面が露出して見栄えが悪くなると共に、該端面から内部に浸水して、止水性が悪くなる。また、蓋片７６によって、前記端面を被覆する場合には、施工面からは、蓋片７６を後付けする必要があって、手間がかかると共に、構造面からは、係合構造ではなくて、接着等の固着構造であるために、脱落し易いという不具合があった。
【０００７】
また、図２２に示される窓枠体Ｆ13は、縦枠材Ａ13及び横枠材Ｂ13の各フランジ板部８２a,８２b には、それぞれカバー材８５a,８５b が嵌着されて、連結材Ｊ13の方形連結片８１の手前側には、前記各カバー材８５a,８５b の端部を部分的に覆った状態で、コーナーカバー材８７が当てがわれて、該カバ材ー８７は、その裏面側に一体成形された固定片８８を介して前記方形連結片８１に固定された構造である。
【０００８】
このため、上記窓枠体Ｆ13では、各カバー材８５a,８５b の表面に、更に別のコーナーカバー材８７が取付けられるために、縦枠材Ａ13及び横枠材Ｂ13の各フランジ板部８２a,８２b に連続した一体感がなくなると共に、両カバー材８５a(８５b)，８７の間に段差が生じて、見栄えが悪くなる不具合があった。
【０００９】
更に、図２３に示される窓枠体Ｆ14は、縦枠材Ａ14及び横枠材Ｂ14の各フランジ板部９２a,９２b には、４５°の角度で両端部を斜め切断したカバー材９５a,９５b が嵌着されて、連結材Ｊ14の方形連結片９１の手前側には、前記各カバー材９５a,９５b の端部の斜め切断部が配置されて、連結材Ｊ14の方形連結片９１を覆った構造である。
【００１０】
このため、上記窓枠体Ｆ14では、各カバー材９５a,９５b の両端部を４５°の角度で斜め切断する必要があるために、斜め切断のための専用治具が必要であって、該治具を使用しても、切断角度の精度出しが難しく、その精度が悪い場合には、各カバー材９５a,９５b の接続部に隙間が生じたり、部分的に重なって接続できない等の不具合があった。
【００１１】
【発明が解決しようとする課題】
本発明は、上記構成の窓枠体において、４本のフランジ板部で形成される部分の意匠性を高めて、見栄えを良好にすることを課題としている。
【００１２】
【課題を解決するための手段】
上記課題を解決するための請求項１の発明は、縦横各一対の枠材と、縦横の各枠材を方形に配置した状態で相隣接する縦横の各枠材の端部を互いに連結する４本の連結材と、前記縦横の各枠材の前端部に設けられたフランジ板部の表面を被覆する４枚のカバー材とを備え、前記カバー材は、前記枠材のフランジ板部の表面のほぼ全域を被覆可能な形状であり、前記連結材の前端部には、前記枠材のフランジ板部とほぼ同一の横断面形状であって、縦横のいずれか一方の枠材のフランジ板部の長手方向における隣接位置に配置される方形連結片が、一体成形された構成の窓枠体であって、前記カバー材には、横断面視において、少なくとも一方の側に側面被覆部が背面側に折れ曲がった状態で設けられて、前記フランジ板部の少なくとも一方の側面を覆い、縦横いずれか一方の枠材のフランジ板部の表面と、該フランジ板部の長手方向の一端又は両端に接続された前記連結材の方形連結片の表面との両表面を一枚の前記カバー材で被覆した状態において、前記方形連結片に一体成形された蓋体部がカバー材の端面を無段差で覆うようになっていること、その特徴としている。
【００１３】
請求項１の発明では、縦枠材又は横枠材の前端部のフランジ板部の表面を被覆している４枚のカバー材のうち、自身の端部で連結材の方形連結片の表面を被覆している特定のカバー材の端面は、該方形連結片に一体成形された蓋体部によって無段差で閉塞された構造になっている。このように、カバー材の端面は、方形連結片に一体成形された蓋体部により無段差で閉塞されて、前記端面の見栄えが良好になると共に、該蓋体部は、方形連結片に一体成形されているために、脱落の恐れもない。また、前記蓋体部は、方形連結片に一体成形されていて、その肉厚を０．５〜２ｍｍ程度の薄肉成形することもできて、外観上、前記蓋体部の存在は、殆ど認識されないようにもでき、これにより、カバー材の端面の見栄えが一層良好となる。
【００１４】
また、縦枠材、横枠材、及び連結材の方形連結片を組み付けることにより、その接続部に生ずる仕切線の全て、或いはほぼ全てが、カバー材により被覆されるために、表面に現れる仕切線は、カバー材どうしの接続線となって、窓枠体の前面の各フランジ板部の部分の連続一体感が生ずることにより、方形枠状に組まれた各フランジ板部の部分の見栄えも良好となる。
【００１５】
また、請求項２の発明は、請求項１の発明を前提として、横断面視において、カバー材本体部の両側に側面被覆部が、ほぼ直角に背面側に折れ曲がった状態でそれぞれ一体成形されていることを特徴としている。この構成により、縦枠材又は横枠材のフランジ板部の表面の全域がカバー材に被覆されて、その表面には、カバー材どうしの接続線のみが仕切線として生ずるのみであるために、方形枠状に組まれたフランジ板部の部分の見栄えが一層良好となる。
【００１６】
更に、請求項３の発明は、請求項１又は２の発明を前提として、前記蓋体部の外形線は、直交して接続する別のカバー材の長手方向の外形線の延長線上に位置していることを特徴としており、相隣接するフランジ板部の外形線が連続しているために、方形枠状に組まれたフランジ板部の部分の見栄えが一層良好となる。
【００１７】
また、請求項４の発明は、請求項１ないし３のいずれかの発明において、前記蓋体部の肉厚は、０．５〜２ｍｍであることを特徴としている。蓋体部は、連結材の前端の方形連結片に一体に設けられているため、０．５〜２ｍｍの薄肉であっても、脱落の恐れはなく、またこれにより外観上その存在が認識しづらくなって、フランジ板部の端面の開口を見栄えよく閉塞できる。
【００１８】
【発明の実施の形態】
以下、複数の実施例を挙げて、本発明を更に詳細に説明する。図１は、本発明の第１実施例の窓枠体Ｆ1 の分解斜視図であり、図２は、組付状態の窓枠体Ｆ1 の斜視図であり、図３は、窓枠体Ｆ1 の左下の部分の拡大分解図であり、図４は、組付状態の窓枠体Ｆ1 の左下の部分の拡大斜視図であり、図５は、同じく拡大正面図であり、図６は、図５のＸ1 −Ｘ1 線拡大断面図である。なお、以下において、連結材Ｊ1,Ｊ2 、縦横の各枠材Ａ，Ｂの各部分において、構造は同一であるが、対応する部分が縦枠材Ａに係るものであるか、或いは横枠材Ｂに係るものであるかのみが異なる部分には、同一符号にそれぞれ添字「ａ」，「ｂ」を付して、区別する。図１ないし図６に示される窓枠体Ｆ1 は、一対の縦枠材Ａと、同じく一対の横枠材Ｂと、縦横の各枠材Ａ，Ｂを方形に配置した状態で、直交して相隣接する縦横の各枠材Ａ，Ｂを互いに連結する４本の連結材Ｊ1(Ｊ2)と、前記縦横の各枠材Ａ，Ｂの前端部に一体成形されたフランジ板部２a1 (２b1) の表面を被覆する４枚のカバー材Ｃa1 (Ｃb1) とで構成される。
【００１９】
また、縦横の各枠材Ａ，Ｂは、押出成形品であって、本体板部１a(１b)と、配置状態において前記本体板部１a(１b)の前端部に、これと直交して一体成形されたフランジ板部２a1 (２b1) とで構成される。本体板部１a(１b)には、前記連結材Ｊ1(Ｊ2)の差込み片１３a,１３b が挿入される複数の差込み孔３a(３b)が前記本体板部１a(１b)の長手方向に貫通形成されていて、隣接する差込み孔３a(３b)の間には、ビス下孔４a(４b)が形成されている。また、図５及び図６に示されるように、フランジ板部２a1 (２b1) との表面側には、長手方向に連続する凹部５が設けられていて、該凹部５を成形する対向内壁面６には、係合突条７が長手方向に沿って設けられている。前記凹部５は、幅方向の両端部を除く部分に設けられていて、組付状態において、フランジ板部２a1 (２b1) の外側となる部分には、外側板部８が背面側に折れ曲がった状態で設けられていて、外側の係合突条７は、前記外側板部８の内側に、これと平行に設けられた内壁面形成板部９に設けられている。
【００２０】
また、一対の縦枠材Ａと一対の横枠材Ｂとを方形枠状に連結して一体に組み付けるには、２本ずつの計４本の連結材Ｊ1,Ｊ2 が必要であり、各連結材Ｊ1,Ｊ2 は、四角棒状をした連結材本体部１１の長手方向の一端部に、方形連結片１２の一隅部が一体成形された構成であるために、窓枠体Ｆ1 の対角線方向に沿った各連結部に使用される各連結材Ｊ1(又はＪ2)は、同一構成になっているが、相隣接する連結部に使用される各連結材Ｊ1,Ｊ2 は、連結材本体部１１に対する方形連結片１２の一体成形位置が異なるのみで、他の構成は、同一である。従って、一方の連結材Ｊ1 の構成についてのみ説明する。
【００２１】
即ち、連結材Ｊ1 を構成する四角棒状の連結材本体部１１の直交して隣接する２面には、それぞれ差込み片１３a,１３b が、前記連結材本体部１１の長手方向に沿って所定間隔をおいて突設され、前記連結材本体部１１と前記方形連結片１２とが交差する部分には、縦横の各枠材Ａ，Ｂを方形枠状に組んだ状態において、相隣接する各枠材Ａ，Ｂの外側面と、各枠材Ａ，Ｂの前端部の前記フランジ板部２a1, ２b1の背面とにそれぞれ当接される横断面Ｌ字状をした各当接板部１４a,１４b が、前記各差込み片１３a,１３b と同一方向に突設されている。
【００２２】
また、前記方形連結片１２は、組付状態において、縦枠材Ａのフランジ板部２a1に接続されるために、その横断面の外形は、該フランジ板部２a1のそれとほぼ同一になっていて、図７に示されるように、その前面には、凹部１５が設けられていて、該凹部１５を成形する対向内壁面１６には、係合突条１７が前記差込み片１３ａの突設方向（組付状態において上下方向）に沿って設けられている。そして、方形連結片１２の前記凹部１５における縦枠材Ａのフランジ板部２a1と接続される側は、開口していると共に、その反対側には、該方形連結片１２の表面側に被覆されるカバーＣa1の端面を覆う蓋体部１８が一体成形されている。この蓋体部１８の外形は、カバー材Ｃa1の横断面形状の外形と同一になっている。このため、図２ないし図４に示されるように、縦枠材Ａのフランジ板部２a1と、その長手方向の両端に接続される各方形連結片１２との表面を、１枚のカバー材Ｃa1で覆った状態においては、該カバー材Ｃa1の表面は、蓋体部１８の表面と無段差となって連続している。前記蓋体部１８の肉厚は、組付状態において、カバー材Ｃa1の端面を閉塞する機能を果たしたうえで、外観上その存在を認識しづらくするために、０．５〜２ｍｍ程度が好ましく、既述の通り、連結材Ｊ1,Ｊ2 は、型成形品であるので、上記肉厚での成形は、可能である。
【００２３】
また、一方のカバー材Ｃa1は、縦方向に配置されて、縦枠材Ａのフランジ板部２a1と、その長手方向の両端に連続して接続される連結材Ｊ1,Ｊ2 の各方形連結片１２との各表面側を覆うためのものであり、他方のカバー材Ｃb1は、横方向に配置されて、横枠材Ｂのフランジ板部２b1の表面側を覆うためのものである。各カバー材Ｃa1, Ｃb1は、押出成形品であって、その横断面は、全長に亘って一定していて、図６に示されるように、前記各フランジ板部２a1, ２b1の表面側を覆うカバー材本体部２１の幅方向の一端部に、組付状態において前記各フランジ板部２a1, ２b1の外側面側を覆う側面被覆部２２が背面側にほぼ直角に折れ曲がって一体成形されていると共に、その他端部は、各フランジ板部２a1, ２b1及び方形連結片１２の平面部に対する連続性を確保すべく、アール面取りされた構成である。また、前記カバー材本体部２１の背面には、一対の係合板部２３が、前記各フランジ板部２a1, ２b1の前面の凹部５の幅に対応する間隔をおいて突設されて、各係合板部２３の先端部外側には、前記各フランジ板部２a1, ２b1の係合突条７と係合可能な係合爪部２４が設けられている。従って、縦方向に配置されるカバー材Ｃa1の長さは、縦枠材Ａのフランジ板部２a1の長手方向の両端に、連結材Ｊ1,Ｊ2 の各方形連結片１２を接続した長さと同一であり、横方向に配置されるカバー材Ｃb1は、横枠材Ｂの長さと同一である。
【００２４】
そして、２本ずつの計４本の連結材Ｊ1,Ｊ2 を使用して、一対の縦枠材Ａと、一対の横枠材Ｂとを方形枠状に組み付けて、窓枠体Ｆ1 を形成するには、以下のようにして行う。まず、図１に示されるように、互いに直交して接続される縦横の各枠材Ａ，Ｂの差込み孔３a,３b に、連結材Ｊ1(Ｊ2)の各差込み片１３a,１３b を差し込んで、縦横各一対の枠材Ａ，Ｂを方形枠状に連結して組み付ける。この状態では、縦枠材Ａのフランジ板部２a1の長手方向の両端部（上下端部）に、それぞれ連結材Ｊ1,Ｊ2 の各方形連結片１２が接続されると共に、横枠材Ｂのフランジ板部２b1の両端面は、その左右両端に配置された連結材Ｊ1,Ｊ2 の各方形連結片１２の内側面に当接した状態となる。
【００２５】
次に、縦枠材Ａのフランジ板部２a1の上下端部に、それぞれ連結材Ｊ1,Ｊ2 の各方形連結片１２が接続されて、各凹部５，１５が連続している部分に、カバー材Ｃa1を押し込んで被覆させる。これにより、図６及び図７に示されるように、カバー材Ｃa1の係合爪部２４と、縦枠材Ａのフランジ板部２a1及び上下の連結材Ｊ1,Ｊ2 の各方形連結片１２にそれぞれ設けられた係合突条７，１７とが係合して、カバー材Ｃa1のカバー材本体部２１が、前記フランジ板部２a1及びその上下の各方形連結片１２の表面に密着して、それらの表面側が被覆されると共に、その側面被覆部２２が、前記フランジ板部２a1の外側板部８、及びその上下の各方形連結片１２の外側板部１９の更に外側に配置されて、前記各外側板部８，１９が被覆されて、図２に示されるようになる。そして、この窓枠体Ｆ1 は、図８に示されるように、建築物の外壁部及びユニットバス（図示せず）の内壁部の各窓開口に嵌め込まれて使用される。また、各連結材Ｊ1,Ｊ2 の本体部１１に設けられたビス孔に挿通されたビス（いずれも図示せず）を、縦横の各枠材Ａ，Ｂのビス下孔４に螺入させて、各連結材Ｊ1,Ｊ2 と各枠材Ａ，Ｂとの連結を確実にしているが、各図においては、前記ビス孔とビスとの図示を省略してある。なお、連結材Ｊ1,Ｊ2 の差込み片１３a(１３b)を縦横の各枠材Ａ，Ｂの各差込み孔３a(３b)に挿入して、互いに圧接させることによって、ビスを用いないで連結することも可能である。
【００２６】
そして、上記した組付状態においては、縦方向に配置されるカバー材Ｃa1の上下の各両端面は、当該部分に配置されている連結材Ｊ1,Ｊ2 の各方形連結片１２に一体成形された蓋体部１８によって被覆され、しかも、該蓋体部１８の形状からして、カバー材Ｃa1と蓋体部１８との表面は、無段差となって接続していると共に、蓋体部１８自体が薄肉であるために、その存在は、殆ど認識されないことは、上記した通りである。
【００２７】
また、図４及び図５に示されるように、本窓枠体Ｆ1 は、従来の窓枠体Ｆ11との対比においては、図２０に示される各仕切線Ｌ1,Ｌ3,Ｌ5,Ｌ8 が全く現れなくなる（隠れる）と同時に、仕切線Ｌ4,Ｌ6 に関しても、カバー材Ｃa1の内端と縦枠材Ａの本体板部１ａの内端との間の見え幅（Ｗ）〔図６参照〕が極めて狭くなっていることと、該見え幅（Ｗ）の部分と、前記本体板部１ａの内端部のアール面取り部とが、重複して同化することとが相俟って、従来の窓枠体Ｆ11の仕切線Ｌ4,Ｌ6 に対応する各線、及び従来の仕切線Ｌ2 に対応する仕切線Ｌ2'も殆ど認識されなくなる。また、カバー材Ｃa1の両端面を被覆している蓋体部１８の肉厚は、極めて小さいために、従来の窓枠体Ｆ11の仕切線Ｌ7 に相当する仕切線Ｌ7'は、認識されにくくなる。このように、各部材の仕切線の数が激減して、窓枠体Ｆ1 の前面のフランジ板部の部分に現れる仕切線は、各カバー材Ｃa1, Ｃb1どうしのもののみとなって、前記フランジ板部の部分に連続一体感が生じて、当該部分の見栄えが良好となる。
【００２８】
引き続いて、本発明の別の実施例について説明する。図９ないし図１１に示される第２実施例の窓枠体Ｆ2 のフランジ板部２a2, ２b2は、前記第１実施例のフランジ板部２a2 ,２b2の外側板部８、及び方形連結片１２の外側板部１９の双方を欠落させた構成であって、他の構成は、前記第１実施例と同一である。縦横の各枠材Ａ，Ｂの各フランジ板部２a1, ２b1の内壁面形成板部９は、カバー材Ｃa2, Ｃb2の外側被覆部２２により被覆されるために、前記各外側板部８，１９は、不要であるとした設計であって、縦横の各枠材Ａ，Ｂの成形コストの低減が図られる。
【００２９】
また、図１２ないし図１４に示される第３実施例の窓枠体Ｆ3 は、各カバー材Ｃa3, Ｃb3の本体部２１の内端面が、フランジ板部２a3, ２b3の内端部を構成し、しかも本体板部１a,１b を構成する内側の板部１a1, １b1の最先端部の外側に当接して、該板部１a1, １b1の前端部のアール面取り面と、カバー材本体部２１の表面とが連続面となっている構成のみが、前記第２実施例の窓枠体Ｆ2 と異なる。本第３実施例においては、従来の窓枠体Ｆ11の仕切線Ｌ4,Ｌ6 に相当する仕切線Ｌ4', Ｌ6'は残るが、該仕切線Ｌ4', Ｌ6'は、前記本体板部１ａの内端部のアール面取り部と重複して同化するために、目立たなくなる利点がある。
【００３０】
更に、図１５ないし図１７に示される本発明の第４実施例の窓枠体Ｆ4 は、縦横の各枠材Ａ，Ｂを構成するフランジ板部２a4, ２b4の内外の両側面に係合突条７’が設けられていると共に、各カバー材Ｃa4, Ｃb4は、その幅方向の両端部にそれぞれ側面被覆部２２が設けられて、その先端部の内側に係合爪部２５が設けられた構成である。このため、前記各フランジ板部２a4, ２b4の表面側を各カバー材Ｃa4, Ｃb4で覆って、前記係合突条７’と前記係合爪部２５とを係合させると、各カバー材Ｃa4, Ｃb4は、各フランジ板部２a4, ２b4に取付けられる。この構造によって、第２実施例の窓枠体Ｆ2 において僅かに現れていた各仕切線Ｌ2', Ｌ4', Ｌ6'が完全に隠蔽されると共に、成形不良、組付不良等に起因して、従来の窓枠体Ｆ11の仕切線Ｌ1,Ｌ8 の部分に僅かに隙間が発生していても、該隙間までもが隠蔽される利点がある。また、第４実施例では、縦方向に配置されたカバー材Ｃa4の端面線Ｌ11と、横方向に配置されたカバー材Ｃb4の外側線Ｌ12とが一直線状に連続していて、蓋体部１８の肉厚線は、その外側に配置される構造になっているために、前記端面線Ｌ11と前記外側線Ｌ12とが合致して一直線状になることにより、フランジ板部の部分の見栄えが一層良好となる利点もある。
【００３１】
また、図１８に示される窓枠体Ｆ2 は、各連結材Ｊ1(Ｊ2)を構成する方形連結片１２に一体成形された蓋体部１８が、組付状態において、それぞれ縦方向及び横方向に配置されて、各カバー材Ｃa5，Ｃb5の開放側の各端面を被覆する構成のものである。また、窓枠体の全体形状としては、縦長の窓開口に対応した縦長形状の場合もあり得る。
【００３２】
【発明の効果】
本発明に係る窓枠体は、縦枠材、横枠材、及び連結材の方形連結片を組み付けることにより、その接続部に生ずる仕切線の全て、或いはほぼ全てが、カバー材により被覆されるために、表面に現れる仕切線は、カバー材どうしの接続線となって、窓枠体の前面の各フランジ板部の部分の連続一体感が生ずることにより、方形枠状に組まれた各フランジ板部の部分の見栄えが良好となる。
【００３３】
また、カバー材の端面は、方形連結片に一体成形された蓋体部により無段差で閉塞されて、前記端面の見栄えが良好になると共に、該蓋体部は、方形連結片に一体成形されているために、脱落の恐れもない。
【図面の簡単な説明】
【図１】本発明の第１実施例の窓枠体Ｆ1 の分解斜視図である。
【図２】同じく組付状態の窓枠体Ｆ1 の斜視図である。
【図３】窓枠体Ｆ1 の左下の部分の拡大分解図である。
【図４】組付状態の窓枠体Ｆ1 の左下の部分の拡大斜視図である。
【図５】同じく拡大正面図である。
【図６】図５のＸ1 −Ｘ1 線拡大断面図である。
【図７】方形連結片１２の横断面図である。
【図８】窓開口に窓枠体Ｆ1 が嵌め込まれた状態の斜視図である。
【図９】本発明の第２実施例の窓枠体Ｆ2 の右下の部分の拡大斜視図である。
【図１０】同じく拡大正面図である。
【図１１】図１０のＸ2 −Ｘ2 線断面図である。
【図１２】本発明の第３実施例の窓枠体Ｆ3 の右下の部分の拡大斜視図である。
【図１３】同じく拡大正面図である。
【図１４】図１３のＸ3 −Ｘ3 線断面図である。
【図１５】本発明の第４実施例の窓枠体Ｆ4 の右下の部分の拡大斜視図である。
【図１６】同じく拡大正面図である。
【図１７】図１６のＸ4 −Ｘ4 線断面図である。
【図１８】本発明に係る別の窓枠体Ｆ2 の斜視図である。
【図１９】従来の窓枠体Ｆ11の左下の部分の分解斜視図である。
【図２０】同じく組付状態の斜視図である。
【図２１】（イ）は、カバー材７５ｂの端面を蓋片７６で閉塞する構成の従来の窓枠体Ｆ12の右下の部分の分解斜視図であり、（ロ）は、同じく組付状態の概略正面図である。
【図２２】（イ）は、縦横の各カバー材８５a,８５b の連結部をコーナーカバー材８７で覆う構成の従来の窓枠体Ｆ13の右下の部分の分解斜視図であり、（ロ）は、同じく組付状態の概略正面図である。
【図２３】（イ）は、縦横の各カバー材９５a,９５b の両端部を斜め切断して接続する構成の従来の窓枠体Ｆ14の右下の部分の分解斜視図であり、（ロ）は、同じく組付状態の概略正面図である。
【符号の説明】
Ａ：縦枠材
Ｂ：横枠材
Ｃa1〜Ｃa5：カバー材（縦配置）
Ｃb1〜Ｃb5：カバー材（横配置）
Ｆ1,Ｆ2 ：窓枠体
Ｊ1,Ｊ2 ：連結材
２a1〜２a4：縦枠材のフランジ板部
２b1〜２b4：横枠材のフランジ板部
１２：方形連結片
１８：蓋体部
【図１】
0003540271.tif 000002
【図２】
0003540271.tif 000003
【図３】
0003540271.tif 000004
【図４】
0003540271.tif 000005
【図５】
0003540271.tif 000006
【図６】
0003540271.tif 000007
【図７】
0003540271.tif 000008
【図８】
0003540271.tif 000009
【図９】
0003540271.tif 000010
【図１０】
0003540271.tif 000011
【図１１】
0003540271.tif 000012
【図１２】
0003540271.tif 000013
【図１３】
0003540271.tif 000014
【図１４】
0003540271.tif 000015
【図１５】
0003540271.tif 000016
【図１６】
0003540271.tif 000017
【図１７】
0003540271.tif 000018
【図１８】
0003540271.tif 000019
【図１９】
0003540271.tif 000020
【図２０】
0003540271.tif 000021
【図２１】
0003540271.tif 000022
【図２２】
0003540271.tif 000023
【図２３】
0003540271.tif 000024